(57)【要約】【課題】トイレ本体部に肘掛けを取り付けるスペースを確保した上で、使用者の足元の配置や脚の動きの自由度を高め、そして使用者が少ない動きで便座の後方に深く腰を掛けることができるようにしたポータブルトイレを提供する。【解決手段】本発明によれば、ポータブルトイレの平面部分の外形を略方形とし、ポータブルトイレの前端部の両側を便座の開口部の先端部よりも後方へ向けて凸となるよう湾曲させて後退させることによって、使用者の足元の配置や脚の動きの自由度が高められ、そして使用者が少ない動きで便座の後方に深く腰を掛けることができるようにされたポータブルトイレが提供される。【選択図】    図１
2015012900.tif 000002
【特許請求の範囲】
【請求項１】
縁壁によって区画された第１の開口部を有する上面部を備えたトイレ本体部と、
周囲が閉じた第２の開口部を有しており、且つ前記上面部へ回動自在に取り付けられた便座と
を備えており、そして
前記トイレ本体部の前記上面部は、前記便座を前記トイレ本体部の前記上面部に載置した状態において、
前記上面部の外側で、前記便座の前記第２の開口部の先端部より後方に位置する第１のトイレ本体端部から前記上面部の後部まで略直線状に延びた第１の側端部と、
前記第１の側端部の反対側で且つ前記上面部の外側で、前記便座の前記第２の開口部の先端部より後方に位置する第２のトイレ本体端部から前記上面部の後部まで略直線状に延びた第２の側端部と、そして
前記便座の前記第２の開口部の前記先端部より前方に位置するトイレ本体突出部を経由して、前記第１のトイレ本体端部から前記第２のトイレ本体端部まで延びたトイレ本体前端部とを備えている
ことを特徴とするポータブルトイレ。
【請求項２】
前記便座は、前記便座を前記トイレ本体部の前記上面部に載置した時、前記上面部の前記トイレ本体前端部と略並行に配置される前縁を備えていることを特徴とする請求項１に記載のポータブルトイレ。
【請求項３】
前記トイレ本体前端部は、前記第１のトイレ本体端部と前記トイレ本体突出部の間に第１の変曲点を有し、そして前記第２のトイレ本体端部から前記トイレ本体突出部までの間に第２の変曲点を有している曲線部を含んでいることを特徴とする請求項１又は２に記載のポータブルトイレ。
【請求項４】
前記曲線部は、
前記第１のトイレ本体端部と前記第１の変曲点の間で前記トイレ本体部の後方へ向けて凸に湾曲した第１の湾曲部と、
前記第２のトイレ本体端部と前記第２の変曲点の間で前記トイレ本体部の後方へ向けて凸に湾曲した第２の湾曲部と、そして
前記第１の変曲点と第２の変曲点の間で前記トイレ本体部の前方へ向けて凸に湾曲した第３の湾曲部と
を含んでいることを特徴とする請求項３に記載のポータブルトイレ。
【請求項５】
前記トイレ本体部は、前記上面部の前記トイレ本体前端部から前記トイレ本体部の下方へ且つ後方へ向けて傾斜している前面部をさらに有していることを特徴とする請求項１ないし４のいずれかに記載のポータブルトイレ。
【請求項６】
前記トイレ本体部は、
前記上面部と、そして
上部が開口しており且つ前記上面部と接続される箱部とへ分割されている
ことを特徴とする請求項１ないし５のいずれかに記載のポータブルトイレ。
【請求項７】
前記箱部の外面は、前記上面部の外面と面一に接続されることを特徴とする請求項６に記載のポータブルトイレ。
【請求項８】
前記上面部は、枠部と、前記第１の開口部を有しており且つ前記枠部の内側で、前記枠部に着脱自在に装着される受け部とへ分割されていることを特徴とする請求項１ないし７のいずれかに記載のポータブルトイレ。
【請求項９】
前記便座は、前記便座を前記トイレ本体部の前記上面部に載置した時、
前記上面部の前記第１の側端部と略平行に配置される第１の側縁と、そして
前記上面部の前記第２の側端部と略平行に配置される第２の側縁とを備えている
ことを特徴とする請求項１ないし８のいずれかに記載のポータブルトイレ。
【請求項１０】
前記便座は、
前記第１の側縁の接線と直交する断面において略直線状に表れる第１の座面であって、水平面に対し、前記開口部へ向けて下方へ傾斜する前記第１の座面の傾斜角度が、前記便座の後部から前部へ向かうにつれて連続的に増加し、そしてその後連続的に減少して略水平となるように形成された前記第１の座面と、そして
前記第２の側縁の接線と直交する断面において略直線状に表れる第２の座面であって、水平面に対し、前記開口部へ向けて下方へ傾斜する前記第２の座面の傾斜角度が、前記便座の後部から前部へ向かうにつれて連続的に増加し、そしてその後連続的に減少して略水平となるように形成された前記第２の座面とを備えていることを特徴とする請求項８又は９に記載の便座。
【請求項１１】
前記第１の座面の前記傾斜角度は、前記第１の側縁の接線と直交し且つ前記便座の前記第２の開口部の幅が最大となる寸法線を通過する前記便座断面において最大となり、そして
前記第２の座面の前記傾斜角度は、前記第２の側縁の接線と直交し且つ前記便座の前記開口部の幅が最大となる寸法線を通過する前記便座断面において最大となる
ことを特徴とする請求項１０に記載のポータブルトイレ。
【請求項１２】
前記トイレ本体部の前記上面部の前記縁壁を介して前記第１の開口部の中に着脱自在に装着されるバケツをさらに備えていることを特徴とする請求項１ないし１１のいずれかに記載のポータブルトイレ。
【請求項１３】
前記トイレ本体部の前記上面部の前記第１の側端部は、前記第２の側端部と略平行に配置されていることを特徴とする請求項１ないし１２のいずれかに記載のポータブルトイレ。
【請求項１４】
前記トイレ本体部の前記上面部および前記箱部は、いずれも樹脂製の一体成形品であることを特徴とする特徴とする請求項６ないし１３のいずれかに記載のポータブルトイレ。
【請求項１５】
前記ポータブルトイレは肘掛け及び前記肘掛けを下方から支持する支柱を備えており、前記便座の第１の端部と及び第２の端部は、前記肘掛けの前記支柱より前方に配置されていることを特徴とする請求項１ないし１４のいずれかに記載のポータブルトイレ。
【発明の詳細な説明】
【技術分野】
【０００１】
本発明は、回動可能な便座を備えたポータブルトイレ（移動式簡易便器）に関するものであって、特に平面部分が略方形の外形を有するポータブルトイレにおいて、ポータブルトイレの前端部の両側を便座の開口部の先端部よりも後方へ向けて凸となるよう湾曲させて後退させることにより、使用者の着座位置の自由度を高めたポータブルトイレに関する。
【背景技術】
【０００２】
近年、高齢者及び身体障害者が居室等で排泄するために、ポータブルトイレ（移動式簡易便器）が普及している。
【０００３】
ところで、近年のポータブルトイレは、高齢者及び身体障害者の使用を考慮して肘掛けや背もたれが備え付けられている場合が多い。このため、便座が載置される腰掛の平面部分は、肘掛や背もたれを支持することができるように全体として略方形に造られていることが多い。
【０００４】
また、上述のような平面部分が略方形のポータブルトイレにおいて、便座の外形を便座の開口部と略相似形のＯ形状としてしまうと、Ｏ形状の便座は略方形の平面部分との間にＯ形状の便座の外縁に沿って隙間や段差を生じ、そして該隙間や段差は、着座した使用者の太腿部の裏側を斜め方向に横断するように配置される。このため、便座の外形をＯ形状としたポータブルトイレでは、使用者が便座に着座した後、脚を動かしたりすると、太腿部の裏側の皮膚が、便座とトイレ本体の平面部分との間にできた隙間や段差に挟み込まれて怪我をしてしまうという問題がある。
【０００５】
このため、平面部分が略方形のポータブルトイレでは、特開２００５−０００３８７号公報（特許文献１）や特開２０１０−２４０１６５号公報（特許文献２）、特開２０１２−１５２２５６号公報（特許文献３）の中に開示されているように、便座の外形も略方形とすることによって、便座とトイレ本体の平面部分との間にできた隙間や段差が使用者の太腿部の裏側を斜め方向に横断しないようにした便座の使用が増えつつある。
【０００６】
このように、近年のポータブルトイレは、平面部分が略方形の外形を有しており、そして略方形の便座を取り付けているタイプが主流となりつつある。しかしながら、上述のような平面部分が略方形のポータブルトイレは、平面部分がＯ形状の据付式の洋式便器に比べてポータブルトイレの前端部の両端が前方へ突出しているため、使用者がポータブルトイレの便座の後方に腰を掛けようとすると、膝の裏側が相対的に前方側でポータブルトイレの前端部に当たってしまい、深く腰を掛けることができないという問題があった。
【０００７】
また、上述のように、ポータブルトイレには通常肘掛けが取り付けられているため、使用者の膝の裏側が相対的に前方側においてポータブルトイレの前端部に当たってしまうことがないようにポータブルトイレの前端部の両端をトイレ本体部の後方へ後退させると、ポータブルトイレの平面部において肘掛けを支える支柱を取り付けるスペースが無くなってしまうという問題点があった。
【先行技術文献】
【特許文献】
【０００８】
【特許文献１】特開２００５−０００３８７号公報
【特許文献２】特開２０１０−２４０１６５号公報
【特許文献３】特開２０１２−１５２２５６号公報
【発明の概要】
【発明が解決しようとする課題】
【０００９】
そこで本発明は、平面部分が略方形の外形を有するポータブルトイレにおいて、トイレ本体部の平面部分に肘掛けの支柱を取り付けるスペースを確保した上で、さらにトイレ本体部の前端部が着座した使用者の脚の自由な移動を妨げることがなく、且つ使用者が便座の後方に深く腰を掛けることできるポータブルトイレを提供することを目的とする。
【００１０】
また本発明は、必要な強度を確保した上で、トイレ本体部の表面からリブ等の突起物や段差を無くすることによって使用者の脚の引っ掛かりを防止すると共に、使用者の足元の配置や脚の動きの自由度を高め、その結果、使用者は少ない動きでポータブルトイレから立ち上がること及びポータブルトイレへ着座することができるポータブルトイレを提供することを目的とする。
【課題を解決するための手段】
【００１１】
本発明者等は、回動可能な便座を備えており、そして平面部分が略方形の外形を有するポータブルトイレの形状や配置について鋭意検討を重ねた結果、トイレ本体部の平面部分の外形を略方形とし、そしてトイレ本体部の前端部の両側を便座の開口部の先端部よりも後方へ向けて凸となるよう湾曲させて後退させることにより、肘掛けの支柱を配置するスペースを確保した上で、使用者が便座の後方に深く腰を掛けることを可能にし、本発明を完成するに至った。
【００１２】
具体的には、本発明によれば、縁壁によって区画された第１の開口部を有する上面部を備えたトイレ本体部と、周囲が閉じた第２の開口部を有しており且つ上面部へ回動自在に取り付けられた便座とを備えており、そしてトイレ本体部の上面部は、便座をトイレ本体部の上面部に載置した状態において、上面部の外側で、便座の第２の開口部の先端部より後方に位置する第１のトイレ本体端部から上面部の後部まで略直線状に延びた第１の側端部と、第１の側端部の反対側で且つ上面部の外側で、便座の第２の開口部の先端部より後方に位置する第２のトイレ本体端部から上面部の後部まで略直線状に延びた第２の側端部と、そして便座の第２の開口部の先端部より前方に位置するトイレ本体突出部を経由して、第１の端部から第２の端部まで延びたトイレ本体前端部とを備えているポータブルトイレが提供される。
【００１３】
すなわち、本発明のポータブルトイレは、周囲が閉じた開口部を有する便座を備えている。本発明のポータブルトイレのトイレ本体部は、便座をトイレ本体部の上面部に載置した状態において、該上面部の外側で、便座の開口部の先端部より後方に位置するトイレ本体端部からトイレ本体部の後部まで略直線状に延びた第１及び第２の側端部を有している。また、トイレ本体部は、第１及び第２の側端部のトイレ本体端部とは逆に、便座の開口部の先端部より前方に位置するトイレ本体突出部を有しており、トイレ本体部の前部には、第１のトイレ本体端部から該突出部を経由して第２のトイレ本体端部まで延びたトイレ本体前端部が形成されており、全体として略方形の形状を有している。
【００１４】
ここで、本発明においてポータブルトイレとは、高齢者及び身体障害者が居室等で排泄するために使用される、特許文献１〜３に記載されているような移動式簡易便器を意味する。また、ポータブルトイレの概念には、主として樹脂材料から製作されているポータブルトイレの他、例えばポータブルトイレの便器以外の外枠や脚部、肘掛け、背もたれなどが木材などの材料から製作されている、いわゆる家具調のポータブルトイレも含まれている。
【００１５】
また、本発明において「側端部」とは、平面図において表れるポータブルトイレの輪郭及び該輪郭を形成する端面を意味する。また「略直線状」とは、離間した２点を略最短距離で結ぶ線分のことを意味し、距離的に直線と略同じであれば、厳密な意味の直線のみならず、多少“くの字状”に曲がった折れ線や大きな弧を描くように多少曲がった曲線も含まれる。このため、側端部はその大部分が略直線状に延びていれば足り、側端部の一部に、例えばポータブルトイレ本体部の脚部支柱を収容するための膨らみ等が形成されていてもよい。
【００１６】
さらに、本発明において「前部」とは、大人の使用者が便座に着座した時、使用者の腹側に配置される便座及びポータブルトイレの前方付近の領域を意味し、そして「後部」とは、大人の使用者が便座に着座した時、使用者の背中側に配置される便座及びポータブルトイレの後方付近の領域を意味する。また、ポータブルトイレの側端部の「トイレ本体端部」とは、ポータブルトイレの長手方向に延びた側端部が、ポータブルトイレの幅方向に延びたトイレ本体前端部へ実質的に方向変換するコーナー部分を意味し、該コーナー部分は角部のみならず、Ｒの付いた隅部であってもよい。
【００１７】
また、一般にポータブルトイレは、トイレ本体部の平面部分の上に一対の略平行に配置された肘掛けを取り付けるスペースを確保した上でコンパクト化が図られるので、トイレ本体部の第１の側端部は実質的に第２の側端部と略平行に配置されることとなる。
【００１８】
さらに本発明のポータブルトイレは、第１のトイレ本体端部からトイレ本体突出部を経由して第２のトイレ本体端部まで延びたトイレ本体前端部を有しており、さらに該前端部は第１のトイレ本体端部とトイレ本体突出部の間に第１の変曲点を有しており、且つ第２のトイレ本体端部からトイレ本体突出部までの間に第２の変曲点を有している曲線部を含んでいることが好ましい。なお、本発明において「変曲点」は、トイレ本体前端部がトイレ本体部の後方に向けて凸な状態からトイレ本体部の前方に向けて凸な状態へ変化する部分であれば足り、前記変化する部分は点である場合のみならず、直線によって構成されている場合も含まれる。
【００１９】
このように、本発明のポータブルトイレは、平面部分が矩形のトイレ本体部に比べてトイレ本体前端部の両端区域がトイレ本体部の後方へ向けて凸となるよう湾曲し後退しているので、使用者がポータブルトイレの便座の後方に腰を掛けようとしても、トイレ本体部の前端部が使用者の膝の裏側に当たって障害となることがない。このため、使用者は容易に本発明のポータブルトイレの便座の後方へ深く腰を掛けることができるようになる。
【００２０】
また、本発明のポータブルトイレは、トイレ本体前端部の中央部分が該前端部の両端区域よりも相対的に前方へ突出しているので、使用者が便座の後方に深く腰を掛けると、該前端部のトイレ本体突出部が使用者の両膝の内側に当接し、使用者の両脚を開脚させるように誘導する。このため、使用者は自然と排泄が容易な姿勢を取ることができるようになり、特に男性使用者の場合、性器を下方へ容易に向けることができるので、使用者の排尿が便座の先端部やトイレ本体前端部の突出部を越えて飛散することを無くすることができるようになる。
【００２１】
このため、本発明のポータブルトイレに取り付けられる便座は、便座がトイレ本体部の上面部に載置された時、トイレ本体部の前端部と略並行に配置される前縁を備えていることが好ましい。
【００２２】
すなわち、便座の前縁の前部又は一部がトイレ本体部の前端部と略同一形状であると、使用者がポータブルトイレの便座の後方に腰を掛けようとしても、従来の前縁の両端区域が後退していない便座と比べて、トイレ本体部の前端部と便座の前縁が使用者の膝の裏側に当たって障害となることがなく、そして使用者が着座した時の脚のフィット感も高めることができる。また、便座の前縁の前部又は一部がトイレ本体部の前端部と略同一形状であると、トイレ本体前端部のトイレ本体突出部と便座の前縁の突出部は協働して使用者の両膝の内側に広く当接するので、使用者の両脚をスムーズに開脚させる。
【００２３】
さらに、使用者が両脚を開脚した姿勢は、排泄後、使用者が中腰姿勢を取ることなく、自力で前方から排便を拭き取ることを可能にする。また、使用者が付添い人や介護者に拭き取ってもらわなければならない高齢者や要介護者である場合であっても、付添い人等は使用者を抱き抱えることなく使用者の排便を拭き取ることができるので、付添い人等の負担を大幅に軽減することができるようになる。
【００２４】
本発明においてトイレ本体前端部の曲線部は、第１のトイレ本体端部と第１の変曲点の間でトイレ本体部の後方へ向けて凸に湾曲した第１の湾曲部と、第２のトイレ本体端部と第２の変曲点の間でトイレ本体部の後方へ向けて凸に湾曲した第２の湾曲部と、そして第１の変曲点と第２の変曲点の間でトイレ本体部の前方へ向けて凸に湾曲した第３の湾曲部とを含んでいることが好ましい。
【００２５】
上述したように、トイレ本体前端部の両端区域の曲線部がトイレ本体部の後方へ向けて凸に湾曲しており、且つトイレ本体前端部の中央部分の曲線部がトイレ本体部の前方へ向けて凸に湾曲していると、使用者が便座の後方に深く腰を掛けた時、トイレ本体前端部の両端区域の形状は使用者の膝の裏側にフィットするので、使用者の両脚を優しく且つスムーズに開脚させるように誘導する。さらに、上述のトイレ本体前端部の形状は、使用者が便座に腰を掛ける際の自己の脚を置く位置の目印となり便利である。
【００２６】
本発明のポータブルトイレはトイレ本体部を備えており、該トイレ本体部は、上部が開口した箱部であって、開口の開口縁から箱部の下方へ且つ後方へ向けて傾斜している前面部を有している箱部と、そして箱部の開口縁へ接続される上面部とに分割されていることが好ましい。
【００２７】
変形に対するトイレ本体部の強度を向上させる手段としては、トイレ本体部の開口縁や側面に折り返しリブや補強リブなどを設ける方法や、若しくはトイレ本体部の各面にパネルを配置して、トイレ本体部をいわゆるボックス構造とする方法などが知られている。
【００２８】
しかしながら、特に開口縁の折り返しリブは、構造上、トイレ本体部から外部へ突出した突起物となるので、トイレ本体部に折り返しリブを設けると、使用者がポータブルトイレで又はポータブルトイレ近傍で脚を動かす際に脚を引っ掛ける障害物となる。そのため、本発明では、折り返しリブなどの突起物を無くするのに有利なボックス構造を採用することによって、特にトイレ本体部の前面部から、使用者が脚などを引っ掛ける可能性のある突起物や段差を無くすることを達成し、トイレ本体部の前面部を滑らかな形状としている。
【００２９】
また、一般にトイレ本体部をボックス構造とすると、トイレ本体部の成形性やメンテナンス性が低下するので、本発明ではいわゆる２ピース構造を採用し、トイレ本体部を、上部が開口した箱部と、該開口の開口縁へビスなどによって連結される上面部との２つの部品から構成することによって上記の問題を解消している。そのため、本発明では、箱部と上面部はいずれも樹脂製の一体成形品として成形することが可能であり、その結果、低コストで且つ頑丈なポータブルトイレを提供することができる。
【００３０】
また、本発明のポータブルトイレは、箱部の前面部を、開口の開口縁から箱部の下方へ且つ後方へ向けて傾斜させているので、使用者は自己の足下をトイレ本体部の前端部又は便座の前縁の真下又はその後方まで引き寄せることが可能となる。このため、本発明のポータブルトイレでは、使用者がポータブルトイレから立ち上がる時及び／又はポータブルトイレへ着座する時の体重移動は主として上下方向の移動のみとなるので、使用者のポータブルトイレからの立ち上がり及びポータブルトイレへの着座が容易となる。
【００３１】
さらに、本発明のポータブルトイレは、箱部の外面を上面部の外面と面一に接続することが好ましい。
【００３２】
本発明のポータブルトイレは、上述したように便座に着座した使用者の両脚の移動を自由にするために、トイレ本体部の前端部の形状を便座の前縁と略同一形状としている。このため、箱部の外面を上面部の外面と面一に接続すると、トイレ本体部の前端部からトイレ本体部の下方へ向けて、便座の前縁の形状と略同一の表面形状を有する前面部を形成することができるようになる。
【００３３】
その結果、箱部の外面を上面部の外面と面一にすると、トイレ本体部の前面部から突起物や段差を排除して、トイレ本体部の前面部をより一層滑らかな形状とすることができると共に、便座の前縁の中央部分の突出部を、便座の前縁からトイレ本体部の前面部に掛けて連続的に形成することができるので、使用者が便座の後方に深く腰を掛けた時の使用者の両脚の開脚誘導をよりスムーズに促進させることができるようになる。
【００３４】
本発明においてトイレ本体部の上面部は、枠部と、縁壁によって区画された第１の開口部を有しており且つ枠部の内側で該枠部に着脱自在に装着される受け部とへ分割されていることが好ましい。
【００３５】
トイレ本体部の上面部は、肘掛けや背もたれを支持し、そして箱部と接続されることによってトイレ本体部の強度を向上させると共に、便座を下方から支持し、さらに第１の開口部を区画する縁壁を介して第１の開口部の中へバケツを懸架するように支持するためにも機能する。このためトイレ本体部の上面部の中、特に第１の開口部やその周辺部は使用者の排泄物や埃などによって汚れ易く、適宜洗浄や拭き取りなどの掃除をする必要がある。
【００３６】
そこで本発明では、トイレ本体部の上面部を第１の開口部やその周辺部からなる受け部と、該受け部を着脱自在に支持する枠部とに分割することにより、受け部をトイレ本体部から分離してポータブルトイレの外部で容易に掃除ができるようにしている。そのため、受け部がトイレ本体部から容易に取り外せる構造であれば、トイレ本体部は必ずしも枠部（受け部を除いた上面部）と箱部に分離されている必要がなく、枠部と箱部が一体となったいわゆる１ピース構造であってもよい。
【００３７】
また受け部は、受け部の第１の開口部の周りに樋状の溝部を設けることよって、使用者の排泄物等がトイレ本体部の他の部位へ垂れたり飛散したりするのを防止することができる。また便座や蓋部を受け部へ回動自在に取り付けると、受け部を利用して、一度に便座と蓋部をトイレ本体部から取り外すことが可能となるので、ポータブルトイレの掃除がより一層容易となる。
【００３８】
次に、本発明のポータブルトイレに取り付けられる便座の特徴について述べる。本発明のポータブルトイレに取り付けられる便座は、便座をトイレ本体部の上面部に載置した時、トイレ本体部の第１の側端部と略平行に配置される第１の側縁と、そしてトイレ本体部の第２の側端部と略平行に配置される第２の側縁とを備えていることが好ましい。
【００３９】
本発明において、便座の第１及び第２の側縁を、それぞれにトイレ本体部の第１及び第２の側端部と略平行に配置すると、便座の外形も略方形となり、そして便座とトイレ本体部の上面部との間にできた隙間や段差を着座した使用者の太腿部の外側に形成させることができる。このため、上述のような第１及び第２の側縁を有する便座は、便座とトイレ本体部の上面部との間にできた隙間や段差が着座した使用者の太腿部の裏側を斜め方向に横断するのを無くすることができるので、使用者の太腿部の裏側の皮膚が、便座とトイレ本体部の上面部との間にできた隙間や段差に挟み込まれるという問題を解消することができる。
【００４０】
また、通常、ポータブルトイレの肘掛けもトイレ本体部の側端部と略平行に配置されているので、トイレ本体部の側端部と略平行に配置された側縁を有する便座を、肘掛けや肘掛けを支える支柱に隣接して配置しても、便座の回動時、便座が肘掛けや肘掛けを支える支柱と干渉することがなく、そしてその結果、左右肘掛けの間で、便座の座面を最大限に大きな大きさとすることができる。
【００４１】
もし、便座の側縁をトイレ本体部の側端部に対して略平行に配置せず、例えば「ハの字状」に配置すると、便座の座面を必要且つ十分な大きさとした場合、便座の幅が最大となる部分は肘掛けや肘掛けを支える支柱と干渉することとなる。逆に、便座の幅が最大となる部分を肘掛けや肘掛けを支える支柱と干渉しない大きさとした場合、許容される左右肘掛け間の最大距離は決まっているので便座の外形幅は相対的に小さくなり、その結果、便座の座面を必要且つ十分な大きさとすることができなくなるであろう。
【００４２】
また、ポータブルトイレが肘掛け及び該肘掛けを下方から支持する支柱を備えている場合、上述のような略方形の外形を有する便座は、便座の前側の両端部（コーナー部分）を肘掛けの支柱より前方に配置することが好ましい。なお、ここで便座の「端部」とは、便座の長手方向に延びた側縁が、便座の幅方向に延びた前縁へ実質的に方向変換するコーナー部分を意味し、該コーナー部分は角部のみならず、Ｒの付いた隅部であってもよい。
【００４３】
便座の前側の両端部を肘掛けの支柱より前方に配置すると、トイレ本体部の前端部の形状を便座の前縁と略同一形状とした上で、肘掛けの支柱を取り付けるスペースをトイレ本体部に確保することができる。このため、便座に着座した使用者は、自己の両脚を、特に外側へ向けて自由に移動することができるようになる。
【００４４】
本発明のポータブルトイレで使用される便座は、第１の側縁の接線と直交する断面において略直線状に表れる第１の座面であって、水平面に対し開口部へ向けて下方へ傾斜する第１の座面の傾斜角度が便座の後部から前部へ向かうにつれて連続的に増加し、そしてその後連続的に減少して略水平となるように形成された第１の座面と、そして第２の側縁の接線と直交する断面において略直線状に表れる第２の座面であって、水平面に対し開口部へ向けて下方へ傾斜する第２の座面の傾斜角度が便座の後部から前部へ向かうにつれて連続的に増加し、そしてその後連続的に減少して略水平となるように形成された前記第２の座面とを備えていることが好ましい。
【００４５】
すなわち、上述の便座は開口部を挟んで第１の座面と第２の座面を有しており、そして第１及び第２の座面の傾斜は、いずれも便座の後部から前部へ向かうにつれて開口部へ向けて連続的にきつくなり、その後連続的に緩やかとなり、そして便座の前縁付近において略水平となる。なお、ここで座面の「傾斜角度」とは、側縁の接線と直交する断面において略直線状に表れる座面の代表的な勾配を示す線分の水平面に対する角度を意味している。
【００４６】
そのため、第１及び第２の座面は、使用者が便座に着座した時、該使用者の臀部を便座の開口部の中へ落とし込むように誘導する。その結果、第１及び第２の座面は使用者の臀部の皮膚を座面に対し相対的に持ち上げ、使用者の肛門を開かせるので、使用者の排泄を容易にするという効果を奏する。なお、便座の断面において略直線状に表れる座面は、必ずしも便座の断面が直線で表れる平面のみで構成されている必要はなく、座面の傾斜によって上述の落し込み効果が得られるものであれば、多少下方へ窪んだ曲面や上方へ膨らんだ曲面が含まれていてもよい。
【００４７】
また、第１の座面の傾斜角度は、第１の側縁の接線と直交し且つ開口部の幅が最大となる寸法線を通過する便座断面において最大となり、そして第２の座面の傾斜角度は、第２の側縁の接線と直交し且つ開口部の幅が最大となる寸法線を通過する便座断面において最大となることが好ましい。
【００４８】
第１の座面の傾斜角度と第２の座面の傾斜角度が、便座の開口部の幅が最大となる位置において最大となるようにすると、使用者が本発明の便座に着座した時、使用者の肛門は、第１及び第２の座面によって便座の開口部の幅が最大となる寸法線の中点付近に誘導されるので、使用者の排便は便座の下方に設置されたバケツの中の所定の位置に落下させることが可能となる。そのため、上述の第１及び第２の座面の傾斜は、使用者の排便がバケツの周囲へ飛散したり又は付着するのを防止すると共に、使用者の排便を、所定の深さでバケツの中に貯蔵されている水中に確実に埋没させるので、便の露出による異臭の発生を防止することができる。
【００４９】
なお、通常、第１の座面の傾斜角度と第２の座面の傾斜角度は、便座の開口部の幅が最大となる位置の付近において最大であれば、使用者の肛門を、便座の開口部の幅が最大となる寸法線の中点付近に誘導することができるので、第１の座面の傾斜角度と第２の座面の傾斜角度は、厳密な意味において便座の開口部の幅が最大となる位置において最大とならなければならないものではない。
【発明の効果】
【００５０】
本発明のポータブルトイレのトイレ本体前端部は両端区域がトイレ本体部の後方へ向けて凸に湾曲しており、突出部（中央区域）はトイレ本体部の前方へ向けて凸に突出しているので、使用者は容易にトイレ本体部及び便座の後方へ深く腰を掛けることができるようになる。また、使用者が便座の後方に深く腰を掛けると、トイレ本体前端部の突出部が使用者の両膝の内側に当接して使用者の両脚を開脚させるので、使用者は自然と排泄が容易な姿勢を取ることができようになる。また、使用者が両脚を開脚した姿勢は、排泄後、使用者が中腰姿勢を取ることなく、自力で前方から排便を拭き取ることを可能にし、さらに使用者が要介護者等である場合であっても、付添い人等は使用者を抱き抱えることなく使用者の排便を拭き取ることができるので、付添い人等の負担を大幅に軽減することができる。
【００５１】
本発明のポータブルトイレはいわゆるボックス構造としているので、必要な強度を確保した上で、トイレ本体部の表面から使用者が脚などを引っ掛ける可能性のあるリブ等の突起物や段差を無くし、トイレ本体部の表面を滑らかな形状とすることができる。また、トイレ本体部は、箱部と上面部とに分割されたいわゆる２ピース構造を採用しているため、いずれの部品も樹脂製の一体成形品として成形することが可能となり、低コストで且つ頑丈なポータブルトイレを提供することができる。
【００５２】
さらに、本発明のポータブルトイレは、トイレ本体部の前面部を開口の開口縁から箱部の下方へ且つ後方へ向けて傾斜させているので、使用者がポータブルトイレから立ち上がる時及び／又はポータブルトイレへ着座する時、使用者は自己の足下をトイレ本体部の前端部又は便座の前縁の真下又はその後方まで引き寄せることが可能となる。その結果、立ち上がり時及び／又は着座時、使用者の体重移動は主として上下方向の移動のみとなり、立ち上がり及び着座が容易となる。
【００５３】
本発明のポータブルトイレは、トイレ本体部の上面部を、使用者の排泄物や埃などによって汚れ易く且つ適宜洗浄や拭き掃除が必要な受け部と、該受け部を着脱自在に支持する枠部とに分割することができるので、受け部をポータブルトイレの外部で容易に掃除することができるようになる。
【００５４】
本発明において、便座の側縁をトイレ本体部の側端部と略平行に配置すると、便座の回動時におけるトイレ本体部の肘掛けや肘掛けを支える支柱との干渉が防止される。また、便座とトイレ本体部の上面部分との間にできる隙間等は着座した使用者の太腿部の外側に形成されるので、使用者の太腿部の裏側の皮膚が該隙間等に挟み込まれるのも防止される。
【００５５】
本発明において、便座の座面を、座面の傾斜が便座の後部から前部へ向かうにつれて開口部へ向けて連続的にきつくし、その後連続的に緩やかにし、そして便座の前縁付近において略水平となる形状とすると、使用者が本発明の便座に着座すると、該使用者の臀部は便座の開口部の中へ落とし込むように誘導され、使用者の臀部の皮膚が座面に対し相対的に持ち上げられるので、使用者の肛門が開かれ、使用者の排便が容易化される。
【００５６】
本発明において、便座の前側の両端部を肘掛けの支柱より前方に配置すると、トイレ本体部の前端部の形状を便座の前縁と略同一形状とした上で、肘掛けの支柱を取り付けるスペースをトイレ本体部に確保することができるので、便座に着座した使用者の両脚の移動自由に移動することができるようになる。
【図面の簡単な説明】
【００５７】
【図１】蓋が開けられた状態の本発明の便座が取り付けられた本発明のポータブルトイレの概要図である。
【図２】バケツがセットされており且つ蓋及び便座が開けられた状態の本発明のポータブルトイレの概要図である。
【図３】本発明のポータブルトイレの組立模式図である。
【図４】バケツのみがセットされておらず且つ蓋及び便座が開けられた状態の本発明のポータブルトイレの概要図である。
【図５】便座を載置した状態の本発明のポータブルトイレの平面図である。
【図６】本発明のポータブルトイレのトイレ本体部の組立模式図である。
【図７】本発明のポータブルトイレの側面図である。
【図８】バケツが懸架された状態の受け部の概要図である。
【図９】便座の概要図である。
【図１０】便座の平面図である。
【図１１】図５に示されている便座のＡ−Ａ断面からＤ−Ｄ断面までの断面図及び正面図である。
【発明を実施するための形態】
【００５８】
以下、本発明の一実施形態に係るポータブルトイレについて、図面を参照しながら詳細に説明する。なお、本発明は、以下に示される実施形態に限定されるものではなく、本発明の技術的思想を逸脱しない範囲内で各種の変更が可能である。
【００５９】
図１には、蓋５が開けられた状態の本発明の一実施形態に係るポータブルトイレ１の概要図が示されており、図２には、バケツ６がセットされており且つ蓋５及び便座４が開けられた状態の本実施形態に係るポータブルトイレ１の概要図が示されている。また、図３には、本発明の一実施形態に係るポータブルトイレ１の組立模式図されている。
【００６０】
本実施形態のポータブルトイレ１は、図３に示されているように、トイレ本体部２、トイレ本体部２の上面を構成する受け部３、便座４、蓋部５、トイレ本体部２の中に装着されるバケツ６及びバケツ６の補助蓋７から構成されており、それぞれの構成要素は互いに取り外し可能に取り付けられている。また、トイレ本体部２には、肘掛け２０、背もたれ２１及び脚部２２が含まれている。
【００６１】
図４には、バケツ６のみがセットされておらず且つ蓋５及び便座４が開けられた状態の本実施形態のポータブルトイレ１の概要図が示されている。また、図５には、肘掛け２０及び背もたれ２１を取り外し、そして便座４を載置した状態の本実施形態のポータブルトイレ１の平面図が示されている。
【００６２】
図４に示されているように、トイレ本体部２は、縁壁３１によって区画された第１の開口部３０を有する上面部２８を備えており、そしてトイレ本体部２の上面部２８には、周囲が閉じた第２の開口部４０を有する便座４が回動自在に取り付けられている。
【００６３】
また、図５に示されているように、トイレ本体部２の上面部２８は、便座４をトイレ本体部２の上面部２８に載置した状態において、上面部２８の外側で、便座４の第２の開口部４０の先端部４００より後方に位置する第１のトイレ本体端部２５０から上面部２８の後部まで略直線状に延びた第１の側端部２５と、第１の側端部２５の反対側で且つ上面部２８の外側で、便座４の第２の開口部４０の先端部４００より後方に位置する第２のトイレ本体端部２６０から上面部２８の後部まで略直線状に延びた第２の側端部２６とを有している。
【００６４】
そしてトイレ本体部２の上面部２８は、第１及び第２の側端部２５，２６のトイレ本体端部２５０，２６０とは逆に、便座４の第２の開口部４０の先端部４００より前方に位置するトイレ本体突出部２７０を有しており、トイレ本体部２の前部には、便座４の第２の開口部４０の先端部４００より前方に位置するトイレ本体突出部２７０を経由して、第１のトイレ本体端部２５０から第２のトイレ本体端部２６０まで延びたトイレ本体前端部２７が形成されている。したがって、トイレ本体部２の平面は全体として略方形の形状を有しており、第１の側端部２５は実質的に第２の側端部２６と略平行に配置されている。
【００６５】
なお、本実施形態において「側端部」とは、平面図において表れるポータブルトイレ１の輪郭及び該輪郭を形成する端面を意味する。また「略直線状」とは、離間した２点を略最短距離で結ぶ線分のことを意味し、距離的に直線と略同じであれば、厳密な意味の直線のみならず、多少“くの字状”に曲がった折れ線や大きな弧を描くように多少曲がった曲線も含まれる。このため、側端部２５，２６はその大部分が略直線状に延びていれば足り、側端部２５，２６の一部に、例えばポータブルトイレ本体部２の脚部支柱を収容するための膨らみ等が形成されていてもよい。
【００６６】
また、本実施形態において「前部」とは、大人の使用者が便座４に着座した時、使用者の腹側に配置される便座４及びポータブルトイレ１の前方付近の領域を意味し、そして「後部」とは、大人の使用者が便座４に着座した時、使用者の背中側に配置される便座４及びポータブルトイレ１の後方付近の領域を意味する。また、ポータブルトイレ１の側端部２５，２６の「トイレ本体端部２５０，２６０」とは、ポータブルトイレ１の長手方向に延びた側端部２５，２６が、ポータブルトイレ１の幅方向に延びたトイレ本体前端部２７へ実質的に方向変換するコーナー部分を意味し、該コーナー部分は角部のみならず、Ｒの付いた隅部であってもよい。
【００６７】
本実施形態のポータブルトイレ１のトイレ本体第１のトイレ本体端部２７０は、第１のトイレ本体端部２５０とトイレ本体突出部２７０の間に第１の変曲点２７１を含んでおり、そして第２のトイレ本体端部２６０からトイレ本体突出部２７０までの間に第２の変曲点２７２を含んでいる曲線部２７３を有している。なお、本実施形態において「変曲点」は、トイレ本体前端部２７がトイレ本体部２の後方に向けて凸な状態からトイレ本体部２の前方に向けて凸な状態へ変化する部分であれば足り、前記変化する部分は点である場合のみならず、直線によって構成されている場合も含まれる。
【００６８】
このように、実施形態のポータブルトイレ１は、平面部分が矩形のトイレ本体部に比べてトイレ本体前端部２７の両端区域がトイレ本体部２の後方へ向けて凸となるよう湾曲し後退しているので、使用者がポータブルトイレ１の便座４の後方に腰を掛けようとしても、従来の前縁の両端区域が後退していない便座と比べて、トイレ本体部２の前端部２７が使用者の膝の裏側に当たって障害となることがない。このため、使用者は容易に本実施形態のポータブルトイレ１の便座４の後方へ深く腰を掛けることができるようになる。
【００６９】
また、本実施形態のポータブルトイレ１は、トイレ本体前端部２７の中央部分が該前端部２７の両端区域よりも相対的に前方へ突出しているので、使用者が便座４の後方に深く腰を掛けると、該前端部２７のトイレ本体突出部２７０が使用者の両膝の内側に当接し、使用者の両脚を開脚させるように誘導する。このため、使用者は自然と排泄が容易な姿勢を取ることができるようになり、特に男性使用者の場合、性器を下方へ容易に向けることができるので、使用者の排尿が便座４の先端部４００やトイレ本体前端部２７の突出部２７０を越えて飛散することを無くすることができるようになる。
【００７０】
このため、本実施形態のポータブルトイレ１では、トイレ本体部２に取り付けられる便座４は、便座４をトイレ本体部２の上面部２８に載置した時、トイレ本体部２の前端部２７と略並行に配置される前縁４５を備えている。
【００７１】
すなわち、便座４の前縁４５の前部又は一部がトイレ本体部２の前端部２７と略同一形状であると、使用者がポータブルトイレ１の便座４の後方に腰を掛けようとしても、従来の前縁の両端区域が後退していない便座と比べて、トイレ本体部２の前端部２７と便座４の前縁４５が使用者の膝の裏側に当たって障害となることがなく、そして使用者が着座した時の脚のフィット感も高めることができる。また、便座４の前縁４５の前部又は一部がトイレ本体部２の前端部２７と略同一形状であると、トイレ本体前端部２７のトイレ本体突出部２７０と便座４の前縁４５の突出部４５０は協働して使用者の両膝の内側に広く当接するので、使用者の両脚をスムーズに開脚させる。
【００７２】
さらに、使用者が両脚を開脚した姿勢は、排泄後、使用者が中腰姿勢を取ることなく、自力で前方から排便を拭き取ることを可能にする。また、使用者が付添い人や介護者に拭き取ってもらわなければならない高齢者や要介護者である場合であっても、付添い人等は使用者を抱き抱えることなく使用者の排便を拭き取ることができるので、付添い人等の負担を大幅に軽減することができるようになる。
【００７３】
本実施形態において、トイレ本体前端部２７の曲線部２７３は、第１のトイレ本体端部２５０と第１の変曲点２７１の間でトイレ本体部２の後方へ向けて凸に湾曲した第１の湾曲部２７４と、第２のトイレ本体端部２６０と第２の変曲点２７２の間でトイレ本体部２の後方へ向けて凸に湾曲した第２の湾曲部２７５と、そして第１の変曲点２７１と第２の変曲点２７２の間でトイレ本体部２の前方へ向けて凸に湾曲した第３の湾曲部２７６とを含んでいる（図４，５参照）。
【００７４】
上述したように、トイレ本体前端部２７の両端区域の曲線部２７３がトイレ本体部２の後方へ向けて凸に湾曲しており、且つトイレ本体前端部２７の中央部分の曲線部２７３がトイレ本体部２の前方へ向けて凸に湾曲していると、使用者が便座４の後方に深く腰を掛けた時、トイレ本体前端部２７の両端区域の形状は使用者の膝の裏側にフィットするので、使用者の両脚を優しく且つスムーズに開脚させるように誘導する。さらに、上述のトイレ本体前端部２７の形状は、使用者が便座４に腰を掛ける際の自己の脚を置く位置の目印となり便利である。
【００７５】
次に、図６，７を用いて、主として本実施形態に係るポータブルトイレ１の構造上の特徴について説明する。図６には、本実施形態のポータブルトイレ１のトイレ本体部２の組立模式図が示されている。図７には、本実施形態のポータブルトイレ１の側面図が示されている。
【００７６】
図６に示されているように、本実施形態のポータブルトイレ１は、肘掛け２０、背もたれ２１及び脚部２２を含んでいるトイレ本体部２を有している。そしてトイレ本体部２は、上部が開口している箱部２３と、箱部２３の開口の開口縁２３０へ接続される上面部２８とに分割されている。また、箱部２３は、開口の開口縁２３０から箱部２３の下方へ且つ後方へ向けて傾斜している前面部２３１を有している。また、上面部２８は、後述する受け部３と枠部２４を含んでいる。
【００７７】
本実施形態のポータブルトイレ１は、特に開口縁２３０の折り返しリブなどの突起物を無くするのに有利ないわゆるボックス構造を採用することによって、特にトイレ本体部２の前面部２３１から、使用者が脚などを引っ掛ける可能性のある突起物や段差を無くし、トイレ本体部２の前面部２３１を滑らかな形状としている。
【００７８】
また、本実施形態のポータブルトイレ１はいわゆる２ピース構造を採用し、トイレ本体部２を、上部が開口した箱部２３と、該開口の開口縁２３０へビスなどによって連結される上面部２８の２つの部品へ分割している。そのため、本実施形態のポータブルトイレ１の箱部２３及上面部２８はいずれも樹脂製の一体成形品として成形されており、その結果、本実施形態のポータブルトイレ１は低コストで且つ頑丈に製作されている。
【００７９】
さらに、本実施形態のポータブルトイレ１は、図７に示されているように、箱部２３の前面部２３１を開口の開口縁２３０から箱部２３の下方へ且つ後方へ向けて傾斜させているので、使用者は自己の足下をトイレ本体部２の前端部２７又は便座４の前縁４５の真下又はその後方まで引き寄せることが可能となる（図１参照）。このため、本実施形態のポータブルトイレ１では、使用者がポータブルトイレ１から立ち上がる時及び／又はポータブルトイレ１へ着座する時の体重移動は主として上下方向の移動のみとなるので、使用者のポータブルトイレ１からの立ち上がり及びポータブルトイレ１への着座が容易となる。
【００８０】
また、本実施形態のポータブルトイレ１は、箱部２３の外面が上面部２８の外面と面一に接続されている（図１，２参照）。
【００８１】
本実施形態のポータブルトイレ１は、便座４に着座した使用者の両脚の移動を自由にするために、トイレ本体部２の前端部２７の形状を便座４の前縁４５と略同一形状としている（図１参照）。このため、箱部２３の外面を上面部２８の外面と面一に接続すると、トイレ本体部２の前端部２７からトイレ本体部２の下方へ向けて、便座４の前縁４５の形状と略同一の表面形状を有する前面部２３１を形成することができるようになる。
【００８２】
その結果、本実施形態のポータブルトイレ１は、トイレ本体部２の前面部２３１から突起物や段差を排除して、トイレ本体部２の前面部２３１をより一層滑らかな形状とすることができる。また、便座４の前縁４５の中央部分の突出部４５０を、便座４の前縁４５からトイレ本体部２の前面部２３１に掛けて連続的に形成することができるので、使用者が便座４の後方に深く腰を掛けた時の使用者の両脚の開脚誘導をよりスムーズに促進させることができるようになる。
【００８３】
図８には、トイレ本体部２の上面部２８から分離した、バケツ６が懸架された状態の受け部３の概要図が示されている。
【００８４】
図３，４，８を参照して理解されるように、本実施形態においてトイレ本体部２の上面部２８は、枠部２４と、縁壁３１によって区画された第１の開口部３０を有しており且つ枠部２４の内側で該枠部２４に着脱自在に装着される受け部３とへ分割されている。
【００８５】
トイレ本体部２の上面部２８は、肘掛け２０や背もたれ２１を支持し、そして箱部２３と接続されることによってトイレ本体部２の強度を向上させると共に、便座４を下方から支持し、さらに第１の開口部３０を区画する縁壁３１を介して第１の開口部３０の中へバケツ６を懸架するように支持するためにも機能する。このため、トイレ本体部２の上面部２８の中、特に第１の開口部３０やその周辺部は使用者の排泄物や埃などによって汚れ易く、適宜洗浄や拭き取りなどの掃除をする必要がある。
【００８６】
このため、本実施形態ではトイレ本体部２の上面部２８を第１の開口部３０やその周辺部からなる受け部３と、該受け部３を着脱自在に支持する枠部２４とに分割し、受け部３をトイレ本体部２から分離してポータブルトイレ１の外部で容易に掃除ができるようにしている。そのため、受け部３がトイレ本体部２から容易に取り外せる構造であれば、トイレ本体部２は本実施形態のように枠部２４（受け部３を除いた上面部２８）と箱部２３に分離されている必要がなく、枠部２４と箱部２３が一体となったいわゆる１ピース構造であってもよい。
【００８７】
また受け部３は、受け部３の第１の開口部３０の周りに樋状の溝部３２を設けることよって、使用者の排泄物等がトイレ本体部２の他の部位へ垂れたり飛散したりするのを防止することができる。また便座４や蓋部５を受け部３へ回動自在に取り付けると、受け部３を利用して、一度に便座４と蓋部５をトイレ本体部２から取り外すことが可能となるので、ポータブルトイレ１の掃除がより一層容易となる（図３，８参照）。
【００８８】
次に、本実施形態のポータブルトイレ１に取り付けられる便座４の特徴について述べる。図９には本実施形態の便座４の概要図が示されており、図１０には本実施形態の便座４の平面図が示されている。
【００８９】
本実施形態のポータブルトイレ１に取り付けられる便座４は、図１と図２とを対比して理解されるように、トイレ本体部２の受け部５に回動自在に取り付けられている。また、便座４は、便座４をトイレ本体部２の上面部２８に載置した時、トイレ本体部２の第１の側端部２５と略平行に配置される第１の側縁４３と、そしてトイレ本体部の第２の側端部と略平行に配置される第２の側縁４４とを備えている。
【００９０】
本実施形態において、便座の第１及び第２の側縁４３，４４を、それぞれにトイレ本体部２の第１及び第２の側端部２５，２６と略平行に配置すると、便座４の外形も略方形となり、そして便座４とトイレ本体部２の上面部２８との間にできた隙間や段差を着座した使用者の太腿部の外側に形成させることができる。このため、上述のような第１及び第２の側縁４３，４４を有する便座４は、便座４とトイレ本体部２の上面部２８との間にできた隙間や段差が着座した使用者の太腿部の裏側を斜め方向に横断するのを無くすることができるので、使用者の太腿部の裏側の皮膚が、便座４とトイレ本体部２の上面部２８との間にできた隙間や段差に挟み込まれるという問題を解消することができる。
【００９１】
また、本実施形態のポータブルトイレ１では、肘掛け２０がトイレ本体部２の側端部２５，２６と略平行に配置されているので、トイレ本体部２の側端部２５，２６と略平行に配置された側縁４３，４４を有する便座４を、肘掛け２０や肘掛けを支える支柱２００に隣接して配置しているが、便座４の回動時、便座４が肘掛け２０や肘掛けを支える支柱２００と干渉することがなく、そしてその結果、左右肘掛け２０の間で、便座４の座面を最大限に大きな大きさとすることができる。
【００９２】
もし、便座４の側縁４３，４４をトイレ本体部２の側端部２５，２６に対して略平行に配置せず、例えば「ハの字状」に配置すると、便座４の座面４１，４２を必要且つ十分な大きさとした場合、便座４の幅が最大となる部分は肘掛け２０や肘掛けを支える支柱２００と干渉することとなる。逆に、便座４の幅が最大となる部分を肘掛け２０や肘掛けを支える支柱２００と干渉しない大きさとした場合、許容される左右肘掛け２０間の最大距離は決まっているので便座４の外形幅は相対的に小さくなり、その結果、便座４の座面４１，４２を必要且つ十分な大きさとすることができなくなる。
【００９３】
また、本実施形態のポータブルトイレ１は、ポータブルトイレ１の上面部２８で肘掛け２０及び該肘掛けを下方から支持する支柱２００を支えており、そして略方形の外形を有する便座４の前側の両端部（コーナー部分）は、肘掛けの支柱２００より前方に配置されている。なお、ここで便座４の「端部」とは、便座４の長手方向に延びた側縁４３，４４が、便座４の幅方向に延びた前縁４５へ実質的に方向変換するコーナー部分を意味し、該コーナー部分は角部のみならず、Ｒの付いた隅部であってもよい。
【００９４】
本実施形態では、便座４の前側の両端部４３０，４４０を肘掛けの支柱２００より前方に配置しているので、トイレ本体部２の前端部２７の形状を便座４の前縁４５と略同一形状とした上で、肘掛けの支柱２００を取り付けるスペースをトイレ本体部２に確保することができる。このため、便座４に着座した使用者は、自己の両脚を、特に外側へ向けて自由に移動することができるようになる。
【００９５】
図１１には、図１０に示されている便座４であって、第１の側縁４３及び第２の側縁４４と直交するＡ−Ａ断面からＤ−Ｄ断面までの断面図と、便座４の正面図が示されている。
【００９６】
本実施形態のポータブルトイレ１で使用される便座４は、開口部４０を挟んで第１の座面４１と第２の座面４２を有している（図９，１０参照）。そして、図１１に示されているように、第１の側縁４３の接線と直交する断面において略直線状に表れる第１の座面４１は、水平面に対し開口部４０へ向けて下方へ傾斜する第１の座面４１の傾斜角度αが便座４の後部から前部へ向かうにつれて連続的に増加し、そしてその後連続的に減少して略水平となるように形成されている。また、第２の側縁４４の接線と直交する断面において略直線状に表れる第２の座面４２は、水平面に対し開口部４０へ向けて下方へ傾斜する第２の座面４２の傾斜角度αが便座４の後部から前部へ向かうにつれて連続的に増加し、そしてその後連続的に減少して略水平となるように形成されている。
【００９７】
すなわち、第１及び第２の座面４１，４２の傾斜は、いずれも便座４の後部から前部へ向かうにつれて開口部４０へ向けて連続的にきつくなり、その後連続的に緩やかとなり、そして便座４の前縁４５付近において略水平となる。なお、ここで座面４１，４２の「傾斜角度」とは、側縁４３，４４の接線と直交する断面において略直線状に表れる座面４１，４２の代表的な勾配を示す線分の水平面に対する角度を意味している（図１１）。
【００９８】
そのため、第１及び第２の座面４１，４２は、使用者が便座４に着座した時、該使用者の臀部を便座４の開口部４０の中へ落とし込むように誘導する。その結果、第１及び第２の座面４１，４２は使用者の臀部の皮膚を座面４１，４２に対し相対的に持ち上げ、使用者の肛門を開かせるので、使用者の排泄を容易にするという効果を奏する。なお、便座４の断面において略直線状に表れる座面４１，４２は、座面４１，４２の傾斜によって落し込み効果が得られるものであれば、必ずしも便座４の断面が直線で表れる平面のみで構成されている必要はなく、図１１（ｄ）に示されるように、多少下方へ窪んだ曲面を含んだものであってもよい。
【００９９】
また、本実施形態では、第１の座面４１の傾斜角度αは、第１の側縁４３の接線と直交し且つ開口部４０の幅が最大となる寸法線４０１（図１１）を通過する便座断面において最大となっている。また、第２の座面４２の傾斜角度αは、第２の側縁４４の接線と直交し且つ開口部４０の幅が最大となる寸法線４０１（図１１）を通過する便座断面において最大となっている。
【０１００】
第１の座面４１の傾斜角度αと第２の座面４２の傾斜角度αが、便座４の開口部４０の幅が最大となる位置において最大となるようにすると、使用者が本発明の便座４に着座した時、使用者の肛門は、第１及び第２の座面４１，４２によって便座４の開口部４０の幅が最大となる寸法線４０１の中点付近に誘導されるので、使用者の排便は便座４の下方に設置されたバケツ６の中の所定の位置に落下させることが可能となる（図１参照）。そのため、第１及び第２の座面４１，４２の傾斜は、使用者の排便がバケツ６の周囲へ飛散したり又は付着するのを防止すると共に、使用者の排便を、所定の深さでバケツ６の中に貯蔵されている水中に確実に埋没させるので、便の露出による異臭の発生を防止することができる。
【０１０１】
なお、第１の座面４１の傾斜角度αと第２の座面４２の傾斜角度αは、便座４の開口部４０の幅が最大となる位置の付近において最大であれば、使用者の肛門を、便座４の開口部４０の幅が最大となる寸法線４０１の中点付近に誘導することができるので、第１の座面４１の傾斜角度αと第２の座面４２の傾斜角度αは、厳密な意味において便座４の開口部４０の幅が最大となる位置において最大とならなければならないものではない。
【符号の説明】
【０１０２】
１・・・・・ポータブルトイレ
２・・・・・トイレ本体部
２０・・・・肘掛け
２００・・・支柱
２１・・・・背もたれ
２２・・・・脚部
２３・・・・箱部
２３０・・・開口縁
２３１・・・前面部
２４・・・・枠部
２５・・・・第１の側端部
２５０・・・第１のトイレ本体端部
２６・・・・第２の側端部
２６０・・・第２のトイレ本体端部
２７・・・・トイレ本体前端部
２７０・・・トイレ本体突出部
２７１・・・第１の変曲点
２７２・・・第２の変曲点
２７３・・・曲線部
２７４・・・第１の湾曲部
２７５・・・第２の湾曲部
２７６・・・第３の湾曲部
２８・・・・上面部
３・・・・・受け部
３０・・・・第１の開口部
３１・・・・縁壁
３２・・・・溝部
４・・・・・便座
４０・・・・第２の開口部
４００・・・先端部
４０１・・・最大開口幅の寸法線
４１・・・・第１の座面
４２・・・・第２の座面
４３・・・・第１の側縁
４３０・・・第１の端部
４４・・・・第２の側縁
４４０・・・第２の端部
４５・・・・前縁
４５０・・・突出部
５・・・・・蓋部
６・・・・・バケツ
７・・・・・補助蓋
【図１】
2015012900.tif 000003
【図２】
2015012900.tif 000004
【図３】
2015012900.tif 000005
【図４】
2015012900.tif 000006
【図５】
2015012900.tif 000007
【図６】
2015012900.tif 000008
【図７】
2015012900.tif 000009
【図８】
2015012900.tif 000010
【図９】
2015012900.tif 000011
【図１０】
2015012900.tif 000012
【図１１】
2015012900.tif 000013